(57)【特許請求の範囲】
【請求項１】
ドアトリム所定部位に設定されるアームレストに受け用開口部を有し、該開口部にスイッチベースが配置構成されるようにしたスイッチベース取付構造であって、
前記スイッチベース及び前記開口部は、前記アームレストの上面及び側面部の領域まで延設して、前記アームレストの稜線を含めて形成されており、
前記スイッチベースが嵌合固定される前記開口部の幅方向の変形を規制し、且つ、該開口部の剛性をアップする位置規制手段を備え、
前記位置規制手段は、前記開口部の幅方向に沿って複数の係合部を備え、
前記係合部が、前記スイッチベースの両側部に突設形成されたボスと、このボスに対応して前記開口部に形成された穴部とを有し、前記ボスが前記穴部に嵌入することを特徴とするスイッチベース取付構造。
【請求項２】
前記スイッチベースの周辺部に複数のツメを有するとともに、前記開口部の周辺に前記ツメが係合する複数の受け部を有することを特徴とする、請求項１に記載のスイッチベース取付構造。
【発明の詳細な説明】
【０００１】
【発明の属する技術分野】
本発明は、乗用車等の車両において典型的にはサイドドアのドアトリムに設けられるスイッチベースの取付構造に関するものである。
【０００２】
【従来の技術】
この種の車両では通常、サイドドアの内側においてドアトリムの所定部位に、サイドウィンドウの開閉操作等を行なうためのドアスイッチが配置構成される。このドアスイッチは、複数のスイッチを搭載するスイッチベースをドアトリム所定部位に設定された受け用開口部に嵌合固定することにより装備される。
【０００３】
たとえば図８および図９に示されるように、サイドドアの内側においてドアトリム１０１の所定部位に設定されるアームレストの上面には受け用開口部１０２（図８）が設けられる。この開口部１０２には図９のように、複数のスイッチ類を搭載してユニット化されたスイッチベース１０３が取り付けられる。ドアトリム１０１、開口部１０２あるいはスイッチベース１０３等は通常、合成樹脂製であり、合成樹脂材を用いて成形型により形成される。
【０００４】
また、ドアスイッチの後側には通常、アームレスト部が配置され、アームレストは腕または肘等が置けるように、ドアトリム１０１の所定位置に突出するかたちで設けられる。なお、図８において、３軸方向の矢印Ｆは前方を、矢印Ｕは上方を、矢印Ｗは車幅方向をそれぞれ示している。
【０００５】
この例のスイッチベース取付構造では、アームレスト上面の幅Ｗ１は所定以上の幅を設定してあるため、開口部１０２とドアトリム１０１との寸法、及び開口部１０２とアームレストＲ部との寸法が充分確保出来た棚幅Ｗ２なので、開口部廻りの剛性を得ることが出来るとともにスイッチベース１０３の取付後も高い剛性を確保することが可能となる。
【０００６】
【発明が解決しようとする課題】
一方、図１０に示されるようにアームレストの意匠上の関係から、スイッチベース１０３（したがって、開口部１０２）が稜線Ｌを含めて形成されるものがある。この場合、図示のようにスイッチベース１０３あるいは開口部１０２は、アームレストの上面だけでなく手前側の側面部の領域まで延設され、スイッチベース１０３の断面１０３ａ（斜線部）は、概略「く」の字もしくは「し」の字状に形成される。このような稜線Ｌをも含む開口部１０２は、そのままではアームレストの剛性を確保するのは容易でない。たとえばアームレスト部に肘をのせ、体重をかけると開口部１０２が変形して、いわゆる口開きを起こし、ツメが外れる原因となってしまう。
【０００７】
本発明は以上の点に鑑み、確実かつ適正に開口部の剛性アップが図れ、かつ、変形を防止するとともに、意匠の自由度を拡大することができるスイッチベースの取付構造を提供することを目的とする。
【０００８】
【課題を解決するための手段】
本発明のスイッチベース取付構造では、上記の目的を達成するため、ドアトリム所定部位に設定されるアームレストに受け用開口部を有し、この開口部にスイッチベースが配置構成されるようにし、前記スイッチベース及び前記開口部は、前記アームレストの上面及び側面部の領域まで延設して、前記アームレストの稜線を含めて形成されており、前記スイッチベースが嵌合固定される前記開口部の変形を規制すると共にこの開口部の剛性をアップするべく、位置規制手段を備えたことを特徴とする。
【０００９】
本発明のスイッチベース取付構造では、好ましくは、前記位置規制手段は前記開口部の幅方向に沿って、この開口部と前記スイッチベースとの間で凹凸係合する複数の係合部を含んでいる。
【００１０】
本発明のスイッチベース取付構造では、前記位置規制手段は、前記スイッチベースの両側部に突設形成されたボスと、このボスに対応して前記開口部に形成された穴部とを有し、前記ボスが前記穴部に嵌入するよう構成することができる。
【００１１】
また、本発明のスイッチベース取付構造では、好ましくは、前記スイッチベースの周辺部に複数のツメを有するとともに、前記開口部の周辺に前記ツメが係合する複数の受け部を有する。
【００１２】
本発明によれば、スイッチベースの両側部に突設形成されたボスと、このボスに対応して開口部に形成された穴部とによって、位置規制手段を構成する。このように開口部に対する位置規制手段を持つことで、開口部の剛性をアップし、さらにこの開口部の変形を規制し得る有効な対策が可能となる。
【００１３】
【発明の実施の形態】
以下、図面に基き、従来例と実質的に同一または対応する部材には同一符号を用いて、本発明によるスイッチベース取付構造の好適な実施の形態を説明する。まず図１は、本発明の実施形態に係るサイドドア１００を示している。サイドドア１００の内側にはドアトリム１１１の所定部位に受け用開口部１１２が設けられている。開口部１１２の後側にはアームレスト１１３が配置構成される。
【００１４】
さらに、図１において１１４はアッパボード、１１５はオーナメント、１１６はロアボード、１１７はポケットである。図１では開口部１１２にスイッチベースが取り付けられていない状態が示されているが、図２に示されるようにスイッチベース１０は開口部１１２に嵌合固定されるようになっている。
【００１５】
本発明のスイッチベース取付構造では特に、開口部１１２の幅（Ｗ）方向の変形を規制する位置規制手段を備える。この位置規制手段は開口部１１２の幅方向に沿って、この開口部１１２とスイッチベース１０との間で凹凸係合する複数の係合部を含んでいる。本実施形態では位置規制手段は、スイッチベース１０の両側部で裏面側に突設形成された一対のボス１１（図４参照）と、このボス１１に対応して開口部１１２に形成された一対の穴部１１８とを有し、ボス１１が穴部１１８に嵌入するようになっている。
【００１６】
ここで、スイッチベース１０の周辺部に複数のツメを有するとともに、開口部１１２の周辺にスイッチベース１０のツメが係合する複数の受け部を有する。スイッチベース１０においては、たとえば図４に示されるように一対の第１のツメ１２、一対の第２のツメ１３および一対の第３のツメ１４を含んでいる。また、開口部１１２において、図３に示されるように第１〜第３のツメ１２〜１４に対応して、一対の第１の受け部１１９、一対の第２の受け部１２０および一対の第３の受け部１２１を含んでいる。
【００１７】
上記の場合、図３に示されるように開口部１１２の設定部位の幅Ｗ１は比較的に狭く、また棚幅Ｗ２も狭く設定されている。そして特に、開口部１１２の前部付近１１２ａでは棚幅Ｗ２はかなり減少している。
【００１８】
また、スイッチベース１０の構成において、図４に示すようにウィンドロックスイッチが装着される穴１５、ドアロックスイッチが装着される穴１６、ドアガラス昇降用スイッチが装着される穴１７、ボス１８、ビス１９／ビス穴２０および位置決め用リブ２１等が形成されている。
【００１９】
つぎに、図５は開口部１１２に取り付けられたスイッチベース１０まわりを示している。また、図６および図７は、本発明のスイッチベース取付構造の主要断面をそれぞれ示している。スイッチ類が組み込まれたスイッチアッセンブリ（スイッチユニット）１０Ａは、図７（Ｂ）に示されるように取付部２２にてスイッチベース１０に搭載支持されるようになっている。
【００２０】
本発明のスイッチベース取付構造において、スイッチベース１０の両側部に突設形成された一対のボス１１と、このボス１１に対応して開口部１１２に形成された穴部１１８とによって、開口部１１２の剛性アップを図り且つ開口部１１２の変形を規制する位置規制手段が構成される。図７（Ｃ）に示されるように各ボス１１は、対応する穴部１１８に嵌入され、スイッチベース１０が正確に位置決めされる。このように開口部１１２に対する位置規制手段を持つことで、開口部１１２の変形を有効に防ぐことができ、スイッチベース１０の見切り部の口開きを防止するとともに、適正な嵌合状態を得ることができる。
【００２１】
また、図６（Ａ）〜（Ｃ）に示されるようにＰ部（点線部）では棚幅Ｗ２が殆どないが、このような場合でも上述のようにスイッチベース１０を適正に取り付けることができる。なお、図７（Ｂ）のＰ部では通常の棚幅Ｗ２となっている。さらに、必要とされる棚幅Ｗ２を減少することで、スイッチ類の配置自由度が向上し、意匠の自由度を有効に拡大することができる。
【００２２】
上記のように本発明を実施形態に基づき説明したが、本発明はこの実施形態にのみ限定されるものでなく、本発明の範囲内で適宜変更可能である。
たとえば、ボス１１および穴部１１８によって位置規制手段を構成する例を説明したが、開口部１１２とスイッチベース１０との間で凹凸係合する複数の係合部を含む構成により同様な作用効果を得ることができる。その場合、係合部の数量や配置位置等は、必要に応じて適宜変更可能である。また、第１〜第３のツメ１２〜１４等の数量等についても、必要に応じて適宜増減等が可能である。
【００２３】
【発明の効果】
以上説明したように本発明によれば、この種のスイッチベース取付構造において開口部に対する位置規制手段を有することで、開口部の剛性アップ及び変形を有効に防ぐことができ、開口部の口開きのない適正な嵌合状態を得ることができる。これにより意匠の自由度の加えて、人間工学的自由度の向上を図る等の利点を有する。
【図面の簡単な説明】
【図１】本発明の実施形態に係るサイドドアの構成例を示す斜視図である。
【図２】本発明の実施形態におけるスイッチベースの取付状態を示す斜視図である。
【図３】本発明の実施形態における開口部まわりを示す斜視図である。
【図４】本発明の実施形態におけるスイッチベースの構成例を示す斜視図である。
【図５】本発明の実施形態における開口部に取り付けられたスイッチベースまわりを示す斜視図である。
【図６】（Ａ）〜（Ｃ）は、それぞれ図５のＡ−Ａ線、Ｂ−Ｂ線およびＣ−Ｃ線に沿う断面図である。
【図７】（Ａ）〜（Ｃ）は、それぞれ図５のＤ−Ｄ線、Ｅ−Ｅ線およびＦ−Ｆ線に沿う断面図である。
【図８】従来のスイッチベース取付構造例を示す要部斜視図である。
【図９】従来のスイッチベース取付構造例を示す要部斜視図である。
【図１０】従来の他の例のスイッチベース取付構造例を示す要部斜視図である。
【符号の説明】
１０    スイッチベース
１１    ボス
１２    第１のツメ
１３    第２のツメ
１４    第３のツメ
１５，１６，１７    穴
１８    ボス
１９    ビス
２０    ビス穴
２１    位置決め用リブ
１００    サイドドア
１１１    ドアトリム
１１２    受け用開口部
１１３    アームレスト
１１４    アッパボード
１１５    オーナメント
１１６    ロアボード
１１７    ポケット
１１８    穴部
【図１】
0004362843.tif 000002
【図２】
0004362843.tif 000003
【図３】
0004362843.tif 000004
【図４】
0004362843.tif 000005
【図５】
0004362843.tif 000006
【図６】
0004362843.tif 000007
【図７】
0004362843.tif 000008
【図８】
0004362843.tif 000009
【図９】
0004362843.tif 000010
【図１０】
0004362843.tif 000011